(57)【要約】【課題】全体が簡易な構成であり、低コストで簡易に製造できるくさり竪樋を提供する。【解決手段】くさり竪樋１は、複数の鎖部材１０を連設してなり、鎖部材１０は、引っ掛け部２０と、引っ掛け部２０の側方に配され、上方に突出した突出片３１を有した掛かり受部３０とを一体として備えており、引っ掛け部２０は、当該鎖部材１０の上方に配される鎖部材１０の突出片３１に引っ掛けできるようになっている。【選択図】図１
2020105787.tif 000002
【特許請求の範囲】
【請求項１】
複数の鎖部材を連設してなるくさり竪樋において、
前記鎖部材は、引っ掛け部と、該引っ掛け部の側方に配され、上方に突出した突出片を有した掛かり受部とを一体として備えており、
前記引っ掛け部は、当該鎖部材の上方に配される前記鎖部材の前記突出片に引っ掛けできるようになっていることを特徴とする、くさり竪樋。
【請求項２】
請求項１において、
前記引っ掛け部は、当該鎖部材の上方に配される前記鎖部材の前記突出片が挿通し得る引っ掛け開口を有している一方、前記掛かり受部は、前記突出片の下部より前記引っ掛け部側に折曲、延出した連結部をさらに有したＬ字形状とされており、
前記引っ掛け部と前記突出片とが略平行となるように前記連結部を介して一体化されていることを特徴とする、くさり竪樋。
【請求項３】
請求項２において、
前記引っ掛け部は、板材の中央部を切り起こすことで形成され、前記掛かり受部は、該板材の切り起こし部分を、前記突出片と前記連結部とにＬ字形状に加工してなることを特徴とする、くさり竪樋。
【請求項４】
請求項３において、
前記連結部には落水開口が開設されていることを特徴とする、くさり竪樋。
【請求項５】
請求項２において、
前記鎖部材は、前記引っ掛け部と前記掛かり受部とを一体として線材で形成されていることを特徴とする、くさり竪樋。
【発明の詳細な説明】
【技術分野】
【０００１】
本発明は、複数の鎖部材を連設してなるくさり竪樋に関する。
【背景技術】
【０００２】
従来のくさり竪樋には、鎖部材の本体として、軒樋より吊るした状態でバランスをよくするために、また見栄えをよくするために、平面視で点対称形状となるカップ状などの立体形状のものが多く提案されている（例えば、特許文献１参照）。
【先行技術文献】
【特許文献】
【０００３】
【特許文献１】特開２０１０−１０６５１９号公報
【発明の概要】
【発明が解決しようとする課題】
【０００４】
しかしながら、平面視で点対称形状となる立体形状のものは、高級感を出しやすいものの、生産コストは高コスト化する傾向がある。特に特許文献１のものなど多くのものは、鎖部材どうしを連結、接続する接続部材が鎖部材（カップ体）とは別体の線材などで形成されているため、それによっても高コスト化している。
【０００５】
本発明は、このような事情を考慮して提案されたもので、その目的は、全体が簡易な構成であり、低コストで簡易に製造できるくさり竪樋を提供することにある。
【課題を解決するための手段】
【０００６】
上記目的を達成するために、請求項１に記載のくさり竪樋は、複数の鎖部材を連設してなるくさり竪樋において、前記鎖部材は、引っ掛け部と、該引っ掛け部の側方に配され、上方に突出した突出片を有した掛かり受部とを一体として備えており、前記引っ掛け部は、当該鎖部材の上方に配される前記鎖部材の前記突出片に引っ掛けできるようになっていることを特徴とする。
【０００７】
請求項２に記載のくさり竪樋は、前記引っ掛け部は、当該鎖部材の上方に配される前記鎖部材の前記突出片が挿通し得る開口を有し、前記掛かり受部は、前記突出片の下部より前記引っ掛け部側に折曲、延出した連結部をさらに有したＬ字形状とされ、前記引っ掛け部と前記突出片とが略平行となるように前記連結部を介して一体化されていることを特徴とする。
【０００８】
請求項３に記載のくさり竪樋は、前記引っ掛け部は、板材の中央部を切り起こすことで形成され、前記掛かり受部は、該板材の切り起こし部分を、前記突出片と前記連結部とにＬ字形状に加工してなることを特徴とする。
【０００９】
請求項４に記載のくさり竪樋は、前記連結部には落水開口が開設されていることを特徴とする。
【００１０】
請求項５に記載のくさり竪樋は、前記鎖部材は、前記引っ掛け部と前記掛かり受部とを一体として線材で形成されていることを特徴とする。
【発明の効果】
【００１１】
請求項１に記載のくさり竪樋は上述した構成とされているため、全体を簡易な構成にすることができ、低コストで簡易に製造することができる。
【００１２】
請求項２に記載のくさり竪樋は上述した構成とされているため、線材などより形成された、鎖部材とは別体の接続部材を用いなくても鎖部材どうしを連結することができる。よって、さらなる低コスト化が図れる。また、鎖部材一体ではそれほどバランスのよい形状ではないが、複数のものが連設されることで立体感が増し、バランスもよくなり、高級感を表現することができる。
【００１３】
請求項３に記載のくさり竪樋は上述した構成とされているため、板材を加工して簡単に成形することができる。
【００１４】
請求項４に記載のくさり竪樋は上述した構成とされているため、板材で形成されていても、雨水の落下をスムーズにさせることができる。
【００１５】
請求項５に記載のくさり竪樋は上述した構成とされているため、さらに安価に形成することができる。また、鎖部材が線材で形成されているため、雨水が滞留するおそれもほとんどない。
【図面の簡単な説明】
【００１６】
【図１】本発明の一実施形態に係るくさり竪樋の鎖部材の説明図である。（ａ）は鎖部材の加工前の板材を示す正面図、（ｂ）は鎖部材の正面図、（ｃ）は同平面図である。
【図２】（ａ）は、同鎖部材の連設態様を示す、図１（ｂ）のＡ−Ａ線矢視断面図である。（ｂ）は、同鎖部材の連設態様を示す側面図である。
【図３】同くさり竪樋の取付状態を示す概略正面図である。
【図４】（ａ）（ｂ）は、本発明の他の２実施形態に係るくさり竪樋の鎖部材の斜視図である。
【発明を実施するための形態】
【００１７】
以下に、本発明の実施の形態について添付図面を参照しながら説明する。まず、添付図面に示す複数の実施形態に係るくさり竪樋１の基本構成について記述する。
【００１８】
本くさり竪樋１は、複数の鎖部材１０を連設してなるくさり竪樋１である。鎖部材１０は、引っ掛け部２０と、引っ掛け部２０の側方に配され、上方に突出した突出片３１を有した掛かり受部３０とを一体として備えており、引っ掛け部２０は、当該鎖部材１０の上方に配される鎖部材１０の突出片３１に引っ掛けできるようになっている。
【００１９】
なお、本明細書および特許請求の範囲においては、くさり竪樋１が施工された状態を基準として上下方向などの方向を規定するものとする。また、引っ掛け部２０の側方とは、くさり竪樋１が施工された状態において、引っ掛け部２０の前後側、左右側のいずれをも含むものとする。
【００２０】
また、これらの実施形態に係るくさり竪樋１では、鎖部材１０の引っ掛け部２０は、当該鎖部材１０の上方に配される鎖部材１０の突出片３１が挿通し得る引っ掛け開口２１を有している一方、掛かり受部３０は、突出片３１の下部より引っ掛け部２０側に折曲、延出した連結部３２をさらに有したＬ字形状とされており、引っ掛け部２０と突出片３１とが略平行となるように連結部３２を介して一体化されている。もちろん、くさり竪樋１は、このような形状のものには限られない。
【００２１】
ついで、図１〜図３に例示した、くさり竪樋１の詳細について説明する。
【００２２】
このくさり竪樋１の鎖部材１０は、板材を加工して形成されるものであり、図１（ａ）に示したような湾曲外形をなす、ステンレスやアルミニウムなどの金属材料よりなる板材を、一部を切り起こして図１（ｂ）に示すように形成したものである。
【００２３】
図１（ａ）に示した板材は、円の下部を直線的に切り取り、切り取られて形成された下辺２２の中央より二等辺三角形状に切り欠いた外形をなしている。さらに、中央部の切り起こしのために、内部に、下部が接続された状態にして、外形の円と同心円状の切り込みが入れられている。その切り起こし部分を前方（紙面手前方向）に折曲状に切り起こすことで、具体的には図１（ａ）中の破線部を谷折りし、一点鎖線部を山折りすることで、引っ掛け部２０と、Ｌ字形状の掛かり受部３０とが形成してある。
【００２４】
引っ掛け部２０は、中央部が切り起こしにより開口し、全体として起立した環状の板状部とされる一方、掛かり受部３０は側面視Ｌ字の形状とされる（図１（ｂ）および図２（ａ）参照）。
【００２５】
掛かり受部３０は突出片３１と連結部３２とよりなる。連結部３２は引っ掛け部２０の下辺２２に平行とされ、その連結部３２には、その中央部が下辺２２側からの切り欠きにより台形状に開口している（図１（ｃ）参照）。この開口が落水開口３３とされる。なお、この切り欠き開口は突出片３１の下部にまで及んでおり、本図例では、その突出片３１側の開口および引っ掛け部２０の下辺２２側の開口を含め、落水開口３３とされる。
【００２６】
図２（ａ）（ｂ）に示すように、上側の鎖部材１０（１０Ａ）の掛かり受部３０に、下側に配する鎖部材１０（１０Ｂ）の引っ掛け部２０を引っ掛けることで、上下方向に複数の鎖部材１０を連設していくことができる。
【００２７】
図２（ｂ）に示すように、最上端に配する鎖部材１０を固定した状態で鎖部材１０を下方に吊り下げ連設（連結）していくと、重力により下方の鎖部材１０は略鉛直状に垂れ下がる。このときそれぞれの鎖部材１０の引っ掛け部２０の上端部が、上側に配置された鎖部材１０の掛かり受部３０の突出片３１と連結部３２との入隅部に位置するように、上側の鎖部材１０の連結部３２は前方に下り傾斜した状態となる。下方側の鎖部材１０についても同様の前傾状態となる。
【００２８】
このように最上端の鎖部材１０を固定して全鎖部材１０を垂れ下げるようにしたくさり竪樋１は、図２（ｂ）のように、壁面６の前方に配すれば、掛かり受部３０を前側に、引っ掛け部２０を後ろ側に並べた状態にして施工することができる、つまり、図３の概略図に示すように最上端の鎖部材１０を軒樋３の集水器４に流水可能なように連結すれば、くさり竪樋１を、円盤が上下方向に連なったように施工することができる。図３中の１５は、最下端に設けた、地面７に設置される錘部材１５である。
【００２９】
以上のように、本くさり竪樋１は、鎖部材１０がカップ形状のような平面視で対称形状とはなっておらず、一体一体は傾斜しているが、全体としては、図２（ｂ）および図３に示すようにバランスよく上下に連なり、美観についても悪くはならない。また、引っ掛け部２０および掛かり受部３０（突出片３１）は板状であるが、それらは前後に並んでいるため立体感が表出され、重厚感を出すことができる。もちろん、本くさり竪樋１は、各部の板面や落水開口３３を介して下方向に、雨水を滞留することなく流すことができ、竪樋の機能を十分に果たすことができる。
【００３０】
さらに、本くさり竪樋１は板材を加工した簡易な形状であるため、低コストで生産することができる。特に、本実施形態のものは鎖部材１０どうしを接続部材で連結する必要がなく、それによっても低コスト化を実現することができる。また図１の鎖部材１０は、１枚の板材より形成できるので、鎖部材１０の製造を簡易化することができる。なお、引っ掛け部２０と掛かり受部３０とを個別に製造し、それらを一体化して鎖部材１０を成形してもよい。引っ掛け部２０と掛かり受部３０とを個別に、または一体に合成樹脂で形成してもよい。
【００３１】
なお、本図例のくさり竪樋は、鎖部材１０が傾斜状態で連なるが、鉛直起立状態で連なるものであってもよい。また、引っ掛け部２０と掛かり受部３０とを前後に並べず、左右に並べるように吊り下げてもよい。
【００３２】
また、図１の鎖部材１０は板材を加工したものであるが、鋼材などの線材を折曲、加工して形成したものであってもよい。
【００３３】
図４（ａ）の鎖部材１０は、線材を加工して、引っ掛け部２０と掛かり受部３０とを一体に形成したものである。本鎖部材１０は線材で形成されているため、引っ掛け開口２１などを含む大きな開口を有し、雨水を下方に効率よく落下させることができるが、板体２５、３５を付加することで落水量をコントロールするようにしてもよい。なお、連結部３２に設ける板体３５には落水開口３５ａを設けてもよいし、板体３５を網目状にしてもよい。
【００３４】
このように鎖部材１０を線材で形成すれば、くさり竪樋１の製造コストをさらに安価にすることができる。また、くさり竪樋１を軽量化でき、取り扱いもしやすくなる。鎖部材１０が軽量であっても、鎖部材１０どうしは上下方向にしっかりと連結できるため、最下端に錘部材１５さえ取り付ければ、風などで大きく揺れ動いたり、連結が解除されたりするおそれはない。もちろん、個々の鎖部材１０は立体的であるため、美観や重厚感を表出することもできる。
【００３５】
また、図４（ｂ）のくさり竪樋１は板材を加工して形成されたものであるが、このものはより簡易な形状とされ、全体がおおむねＬ字の形状とされている。掛かり受部３０は小片とされ、引っ掛け部２０の引っ掛け開口２１も掛かり受部３０の寸法におうじた小さな開口とされる。このような構成であるため、くさり竪樋１を、より簡易に、より安価に形成することができる。
【００３６】
図４（ａ）（ｂ）のものは鎖部材１０が正面視で略矩形とされているが、図１のものと同様、湾曲形状としてもよい。また、正面視で略矩形のものには、その周囲に花弁体などを付加してもよい。
【００３７】
以上の３種の鎖部材１０は、引っ掛け開口２１が周囲を囲まれた窓形状とされているが、そうでなくてもよく、横方向などより引っ掛けできる、一部が開放された例えばフック形状のものであってもよい。
【符号の説明】
【００３８】
１          くさり竪樋
３          軒樋
４          集水器
６          壁面
７          地面
１０        鎖部材
１５        錘部材
２０        引っ掛け部
２１        引っ掛け開口
２２        下辺
３０        掛かり受部
３１        突出片
３２        連結部
３３、３５ａ    落水開口
【図１】
2020105787.tif 000003
【図２】
2020105787.tif 000004
【図３】
2020105787.tif 000005
【図４】
2020105787.tif 000006